(57)【要約】【課題】多面体形状の複数面にパネルが配置された表示装置において、省電力化を図る。【解決手段】表示装置１００において、複数の液晶パネル１１ａ〜１１ｄを多面体形状に組み立てて立体構造物（例えば、水槽）の形状を模した液晶パネルユニット１を備え、複数の映像再生手段（第１〜第４プレーヤ３１ａ〜３１ｄ等）は実際の立体構造物の各面を撮影した映像を対応する液晶パネル１１の表示面に映出させ、同期手段（マスタクロック３２等）は複数の映像再生手段の再生タイミングを同期させ、第１〜第４検出センサ２１ａ〜２１ｄは複数の液晶パネル１１ａ〜１１ｄの前方領域のそれぞれに存在する人体を検出し、特定手段（特定プログラム８３ａ等）は前方領域に人体が検出された液晶パネル１１を特定し、制御手段（映像再生制御プログラム８３ｂ等）は特定された液晶パネル１１に映出させる映像再生手段のみを動作させる。【選択図】図２
2008309936.tif 000002
【特許請求の範囲】
【請求項１】
複数の表示パネルを多面体形状に組み立てて立体構造物の形状を模した表示パネルユニットと、
実際の前記立体構造物の各面を撮影した映像を、前記表示パネルユニットにおける対応する表示パネルの各表示面に、映出させる複数の映像再生手段と、
前記複数の映像再生手段の再生タイミングを同期させる同期手段と、
前記複数の表示パネルの前方領域のそれぞれに存在する人体を検出する検出センサと、
前記検出センサにより前方領域に人体が検出された表示パネルを特定する特定手段と、  前記複数の映像再生手段のうち、前記特定手段により特定された前記表示パネルに映出させる映像再生手段のみを動作させる制御を行う制御手段と、
を備えることを特徴とする表示装置。
【請求項２】
テレビジョン放送信号を受信する受信手段と、
前記受信手段により受信されたテレビジョン放送信号から映像データを抽出して、当該映像データに基づく映像を、前記表示パネルのそれぞれに映出させるテレビ映像処理手段と、
を備えることを特徴とする請求項１に記載の表示装置。
【請求項３】
複数の液晶パネルを直方体形状に組み立てて水槽の形状を模した液晶パネルユニットと、
実際の前記水槽の各面を撮影した映像を、前記液晶パネルユニットにおける対応する液晶パネルの各表示面に、映出させる複数の映像再生手段と、
前記複数の映像再生手段の再生タイミングを同期させる同期手段と、
前記複数の液晶パネルの前方領域のそれぞれに存在する人体を検出する検出センサと、
前記検出センサにより前方領域に人体が検出された液晶パネルを特定する特定手段と、  前記複数の映像再生手段のうち、前記特定手段により特定された前記液晶パネルに映出させる映像再生手段のみを動作させる制御を行う制御手段と、
テレビジョン放送信号を受信する受信手段と、
前記受信手段により受信されたテレビジョン放送信号から映像データを抽出して、当該映像データに基づく映像を、前記液晶パネルのそれぞれに映出させるテレビ映像処理手段と、
を備えることを特徴とする表示装置。
【発明の詳細な説明】
【技術分野】
【０００１】
本発明は、表示装置に関する。
【背景技術】
【０００２】
従来、複数の液晶表示部で多面体の数面もしくは全面を構成して立体形とし、物体を正面、側面、背面、上下面から撮影した画像データ等を、それらの面に対応する液晶表示部にそれぞれ映し出す立体液晶ディスプレイが提案されている（特許文献１参照）。
【特許文献１】実用新案登録第３０８１８１６号
【発明の開示】
【発明が解決しようとする課題】
【０００３】
上記特許文献１のように、複数の表示パネルを多面体形状に配置した表示装置において、実際の水槽を各面から撮像した映像を映し出せば、擬似的なアクアリウムを構成することができる。しかしながら、このような表示装置では複数の面に映像を映出させるため、消費電力が増大してコストが嵩むとともに、ユーザが見ない方向の面にも映像を映出されると、電力の無駄になってしまうという問題があった。
【０００４】
本発明の課題は、多面体形状の複数面にパネルが配置された表示装置において、省電力化を図ることである。
【課題を解決するための手段】
【０００５】
上記課題を解決するため、請求項１に記載の表示装置は、表示装置において、複数の表示パネルを多面体形状に組み立てて立体構造物の形状を模した表示パネルユニットと、
実際の前記立体構造物の各面を撮影した映像を、前記表示パネルユニットにおける対応する表示パネルの各表示面に、映出させる複数の映像再生手段と、
前記複数の映像再生手段の再生タイミングを同期させる同期手段と、
前記複数の表示パネルの前方領域のそれぞれに存在する人体を検出する検出センサと、
前記検出センサにより前方領域に人体が検出された表示パネルを特定する特定手段と、  前記複数の映像再生手段のうち、前記特定手段により特定された前記表示パネルに映出させる映像再生手段のみを動作させる制御を行う制御手段と、
を備えることを特徴とする。
【０００６】
請求項２に記載の発明は、請求項１に記載の表示装置において、テレビジョン放送信号を受信する受信手段と、
前記受信手段により受信されたテレビジョン放送信号から映像データを抽出して、当該映像データに基づく映像を、前記表示パネルのそれぞれに映出させるテレビ映像処理手段と、
を備えることを特徴とする。
【０００７】
請求項３に記載の発明は、表示装置において、複数の液晶パネルを直方体形状に組み立てて水槽の形状を模した液晶パネルユニットと、
実際の前記水槽の各面を撮影した映像を、前記液晶パネルユニットにおける対応する液晶パネルの各表示面に、映出させる複数の映像再生手段と、
前記複数の映像再生手段の再生タイミングを同期させる同期手段と、
前記複数の液晶パネルの前方領域のそれぞれに存在する人体を検出する検出センサと、
前記検出センサにより前方領域に人体が検出された液晶パネルを特定する特定手段と、  前記複数の映像再生手段のうち、前記特定手段により特定された前記液晶パネルに映出させる映像再生手段のみを動作させる制御を行う制御手段と、
テレビジョン放送信号を受信する受信手段と、
前記受信手段により受信されたテレビジョン放送信号から映像データを抽出して、当該映像データに基づく映像を、前記液晶パネルのそれぞれに映出させるテレビ映像処理手段と、
を備えることを特徴とする。
【発明の効果】
【０００８】
本発明によれば、表示装置において、複数の表示パネルを多面体形状に組み立てて立体構造物の形状を模した表示パネルユニットが備わり、複数の映像再生手段により、実際の立体構造物の各面を撮影した映像が、表示パネルユニットにおける対応する表示パネルの各表示面に映出され、同期手段により、複数の映像再生手段の再生タイミングが同期され、検出センサにより、複数の表示パネルの前方領域のそれぞれに存在する人体が検出され、特定手段により、検出センサにより前方領域に人体が検出された表示パネルが特定され、制御手段により、複数の映像再生手段のうち、特定手段により特定された表示パネルに映出させる映像再生手段のみを動作させる制御が行われる。
したがって、多面体形状の複数面にパネルが配置された表示装置において、人体が存在する面の表示パネルにのみ、映像が映出されることとなり、省電力化を図ることができる。
【発明を実施するための最良の形態】
【０００９】
以下、本発明の実施の形態について、図面を参照しながら説明を行う。
図１は、本実施形態の表示装置１００の外観を例示する図である。また、図２は、本実施形態の表示装置１００の要部構成を示すブロック図である。
【００１０】
本実施形態の表示装置１００は、図１に示すように、複数（例えば、４つ）の液晶パネル（表示パネル）１１を直方体形状（多面体形状）に組み立てて、水槽（立体構造物）の形状を模した液晶パネルユニット（表示パネルユニット）１を備えている。具体的には、液晶パネルユニット１の正面、背面、左側面、右側面のそれぞれに液晶パネル１１が配置されており、４つの方向から各液晶パネル１１の表示面に表示される映像を見ることができる。
【００１１】
また、図２に示すように、表示装置１００は、４つの液晶パネル１１ａ〜１１ｄから成る液晶パネルユニット１、４つの検出センサ２１から成る検出ユニット２、４基のプレーヤ（映像再生手段）３１ａ〜３１ｄから成るプレーヤユニット３、プレーヤ３１の再生タイミングを同期させるマスタクロック（同期手段）３２、信号受信部（受信手段）４、信号処理部（テレビ映像処理手段）５、映像処理部（テレビ映像処理手段）６、キー操作部７、制御部８等を備えて構成される。
【００１２】
液晶パネルユニット１は、４つの液晶パネル１１ａ〜１１ｄを直方体形状に組み立てて、図３に例示する水槽と同様の形状に形成されている。
具体的には、液晶パネルユニット１は、正面に配置された正面パネル１１ａ、背面に配置された背面パネル１１ｂ、左側面に配置された左側面パネル１１ｄ、右側面に配置された右側面パネル１１ｃから構成される。
液晶パネル１１ａ〜１１ｄのそれぞれは、後述するプレーヤユニット３に備わる第１〜第４プレーヤ３１ａ〜３１ｄのうちの一と接続されており、後述する映像再生制御プログラム８３ｂの実行において、対応するプレーヤ３１において再生される水槽の各面を撮影した映像データを、表示面に映出する。
【００１３】
検出ユニット２は、液晶パネル１１の前方領域のそれぞれに存在する人体を検出する４つの検出センサ２１を備えて構成される。
具体的には、検出ユニット２には、正面パネル１１ａの前方領域に存在する人体を検出する第１検出センサ２１ａ、背面パネル１１ｂの前方領域に存在する人体を検出する第２検出センサ２１ｂ、左側面パネル１１ｄの前方領域に存在する人体を検出する第３検出センサ２１ｃ、右側面パネル１１ｃの前方領域に存在する人体を検出する第４検出センサ２１ｄ、が備わる。各検出センサ２１ａ〜２１ｄは、例えば、人体の発する赤外線放射量の変化を検出する焦電型の赤外線センサであり、人体の検出に基づいて人体検出信号を制御部８に出力する。
【００１４】
プレーヤユニット３は、４つの液晶パネル１１ａ〜１１ｄのそれぞれに対応する４基のプレーヤ３１ａ〜３１ｄを備える。
具体的には、プレーヤユニット３には、正面パネル１１ａの表示面に映像を映出させる第１プレーヤ３１ａ、背面パネル１１ｂの表示面に映像を映出させる第２プレーヤ３１ｂ、右側面パネル１１ｃの表示面に映像を映出させる第３プレーヤ３１ｃ、左側面パネル１１ｄの表示面に映像を映出させる第４プレーヤ３１ｄ、が備わる。
第１〜第４プレーヤ３１ａ〜３１ｄのそれぞれは、例えば、ＤＶＤプレーヤであり、ＤＶＤに記録された映像データ等の各種データを再生し、再生された映像データ等のデータを、液晶パネルユニット１における対応する液晶パネル１１に出力する。各プレーヤ３１ａ〜３１ｄは、例えば、図示は省略するが、ディスクトレイに装填されるＤＶＤ、ＤＶＤに記録されたデータの読み出しを行う光ピックアップ、ディスクトレイに装填されたＤＶＤを回転駆動させるスピンドルモータ、光ピックアップをＤＶＤの半径方向に移動させる送りモータ等を備えて構成される。そして、光ピックアップによりＤＶＤの反射層にレーザ光を照射し、光電変換及び電流電圧変換によって反射光に応じた電圧信号を生成することにより、ＤＶＤに記録されたデータの読み出しを行い、読み出した映像データを液晶パネルユニット１に出力する。
【００１５】
第１〜第４プレーヤ３１ａ〜３１ｄのそれぞれは、後述する映像再生制御プログラム８３ｂの実行に際して、マスタクロック３２から出力される同期信号に同期する再生タイミングで、実際の水槽の各面を撮影した映像データが記憶されたＤＶＤを再生し、再生した映像データを対応する液晶パネル１１に映出することにより、映像再生手段の一部を構成する。
【００１６】
信号受信部４は、図示しないアンテナ、チューナ等を備え、テレビジョン放送局から発信されるテレビジョン放送信号から、所定のチャンネルのテレビジョン放送信号を受信する。
信号処理部５は、信号受信部４から入力されるテレビジョン放送信号に対して、復調・デコード等の所定の信号処理を行う。また、当該信号処理を行ったテレビジョン放送信号から、映像データを抽出して、映像処理部６に出力する。
映像処理部６は、信号処理部５から入力される映像データに対して各種映像処理を行い、液晶パネルユニット１に出力する。
【００１７】
キー操作部７は、例えば、装置本体の前面部やリモートコントローラ等に備わる。キー操作部７は、ユーザが各種指示を入力するための複数のキーを備えており、ユーザによりキーの押下操作がなされると、押下されたキーに対応する入力操作信号が出力される。
【００１８】
制御部８は、ＣＰＵ（Central Processing Unit）８１、メモリ部８２、ＲＯＭ（Read Only Memory）８３等を備えて構成されている。
【００１９】
ＣＰＵ８１は、表示装置１００の各部から入力された入力信号に応じて、ＲＯＭ８３に格納された各種プログラムを実行するとともに、実行にかかるプログラムに基づいて各部に出力信号を出力することにより、表示装置１００の動作全般を統括制御する。
【００２０】
メモリ部８２は、例えば、ＣＰＵ８１によって各種プログラムが実行される際に生じる処理結果や、入力されたデータ等を記憶するＲＡＭ（Random Access Memory）等の揮発性メモリからなるワークエリア（図示省略）と、ＥＰＲＯＭ（Erasable Programmable ROM）等の不揮発性メモリからなるデータエリア（図示省略）を備えて構成される。
【００２１】
ＲＯＭ８３は、例えば、不揮発性メモリからなるプログラム格納エリアを有しており、具体的には、特定プログラム８３ａ、映像再生制御プログラム８３ｂ、受信プログラム８３ｃ、テレビ映像処理プログラム８３ｄ等を格納している。
【００２２】
特定プログラム８３ａは、例えば、ＣＰＵ８１に、第１〜第４検出センサ２１ａ〜２１ｄにより前方領域に人体が検出された液晶パネル１１を特定する機能を実現させるためのプログラムである。
具体的には、ＣＰＵ８１は、検出ユニット２に備わる第１〜第４検出センサ２１ａ〜２１ｄに、対応する液晶パネル１１の前方領域に存在する人体を検出させ、各検出センサ２１ａ〜２１ｄからの人体検出信号に基づいて、前方領域に人体が検出された液晶パネル１１を特定する。
ＣＰＵ８１は、かかる特定プログラム８３ａを実行することにより、特定手段として機能する。
【００２３】
映像再生制御プログラム８３ｂは、例えば、ＣＰＵ８１に、実際の水槽の各面を撮影した映像を、液晶パネルユニット１における対応する液晶パネル１１の表示面に映出させる機能を実現させるためのプログラムである。また、当該映像再生制御プログラム８３ｂは、ＣＰＵ８１に、特定プログラム８３ａの実行により特定された液晶パネル１１に映出させるプレーヤ３１のみを動作させる制御を行わせる。
具体的には、ＣＰＵ８１は、マスタクロック３２から同期信号を出力させ、当該同期信号に基づく再生タイミングで、各プレーヤ３１ａ〜３１ｄにＤＶＤの再生処理を行わせる。４基のプレーヤ３１ａ〜３１ｄに装填されるＤＶＤには、予め実際の水槽（図３参照）を正面側・背面側・左側面側・右側面側から撮像した映像データが記録されている。そして、特定プログラム８３ａの実行において、前方領域に人体が検出された液晶パネル１１が特定されると、特定された液晶パネル１１の表示面に、対応するプレーヤ３１において再生される映像データを映出させる。
【００２４】
図４（ａ）〜（ｄ）は、液晶パネルユニット１に備わる各液晶パネル１１の表示面を例示する図である。例えば、図４（ａ）は正面パネル１１ａの表示面であり、水槽を正面から撮像した映像データの映像が映出されている。また、図４（ｂ）は、背面パネル１１ｂの表示面であり、水槽を背面から撮像した映像データの映像が映出されている。また、図４（ｃ）は、右側面パネル１１ｃの表示面であり、水槽を右側面から撮像した映像データの映像が映出されている。さらに、図４（ｄ）は、左側面パネル１１ｄの表示面であり、水槽を左側面から撮像した映像データの映像が映出されている。
ＣＰＵ８１は、かかる映像再生制御プログラム８３ｂを実行することにより、同期手段、制御手段として機能する。
【００２５】
受信プログラム８３ｃは、例えば、ＣＰＵ８１に、テレビジョン放送信号を受信する機能を実現させるためのプログラムである。
具体的には、ＣＰＵ８１は、ユーザによるキー操作部７におけるキー操作により、表示装置１００に備わる一面又は複数面の液晶パネル１１に、テレビジョン番組を映出させる旨の指示がなされた場合に、アンテナ・チューナを備える信号受信部４に、テレビジョン放送局から発信されるテレビジョン放送信号を受信させる。
ＣＰＵ８１は、かかる受信プログラム８３ｃを実行することにより、受信手段として機能する。
【００２６】
テレビ映像処理プログラム８３ｄは、例えば、ＣＰＵ８１に、受信プログラム８３ｃの実行により受信されたテレビジョン放送信号から映像データを抽出して、当該映像データに基づく映像を、液晶パネル１１のそれぞれに映出させる機能を実現させるためのプログラムである。
具体的には、ＣＰＵ８１は、受信プログラム８３ｃの実行において信号受信部４により受信されたテレビジョン放送信号に対して、信号処理部５において復調・デコード等の信号処理を行う。そして、当該テレビジョン放送信号から映像データを抽出し、映像処理部６において、抽出された映像データに対して映像処理を行い、ユーザにより指示された面の液晶パネル１１の表示面に、当該映像データの映像を表示させる。
ＣＰＵ８１は、かかるテレビ映像処理プログラム８３ｄを実行することにより、信号処理部５・映像処理部６とともにテレビ映像処理手段として機能する。
【００２７】
次に、図５を参照しながら、特定プログラム８３ａ、映像再生制御プログラム８３ｂ、受信プログラム８３ｃ、テレビ映像処理プログラム８３ｄの実行による映像映出処理について説明する。
【００２８】
図５（ａ）に示すように、表示装置１００の右側面側に人体が存在する場合、ＣＰＵ８１は、第３検出センサ２１ｃからの人体検出信号に基づいて、右側面パネル１１ｃを、前方領域に人体が存在する液晶パネル１１として特定する。そして、ＣＰＵ８１は、右側面パネル１１ｃに対応する第３プレーヤ３１ｃにより再生された映像データを液晶パネルユニット１に出力させて、右側面パネル１１ｃの表示面に表示させる。第３プレーヤ３１ｃのＤＶＤには、水槽を右面側から撮像した映像データが記録されている。
したがって、表示装置１００の右側面側に存在するユーザは、あたかも実際の水槽を右側から見ているような映像を見ることができる。一方、ＣＰＵ８１は、前方領域に人体の存在しない液晶パネル１１の表示面には映像を映出させず、前方領域にユーザが存在しない正面パネル１１ａ・背面パネル１１ｂ・右側面パネル１１ｃのそれぞれには、映像が映出されないこととなる。
【００２９】
また、図５（ｂ）に示すように、表示装置１００の正面側・背面側・右側面側・左側面側のそれぞれに人体が存在する場合、ＣＰＵ８１は、第１〜第４検出センサ２１ａ〜２１ｄからの人体検出信号に基づいて、正面パネル１１ａ・背面パネル１１ｂ・右側面パネル１１ｃ・左側面パネル１１ｄのそれぞれを、前方領域に人体が存在する液晶パネル１１として特定する。そして、ＣＰＵ８１は、正面パネル１１ａ・背面パネル１１ｂ・右側面パネル１１ｃ・左側面パネル１１ｄに対応する第１〜第４プレーヤ３１ａ〜３１ｄのそれぞれにおいて、マスタクロック３２からの同期信号に基づく再生タイミングで再生された映像データを、液晶パネルユニット１に出力させて、正面パネル１１ａ・背面パネル１１ｂ・右側面パネル１１ｃ・左側面パネル１１ｄの各表示面に表示させる。第１プレーヤ３１ａのＤＶＤには、水槽を正面側から撮像した映像データが記録されており、第２プレーヤ３１ｂのＤＶＤには、水槽の背面側から撮像した映像データが記録されており、第３プレーヤ３１ｃのＤＶＤには、水槽の右面側から撮像した映像データが記録されており、第４プレーヤ３１ｄのＤＶＤには、水槽の左面側から撮像した映像データが記録されている。
したがって、表示装置１００の正面側、背面側、右側面側、左側面側に存在するユーザは、あたかも実際の水槽をその方面から見ているような映像を見ることができる。さらに、各表示面に映出される映像は同期することとなり、どの面から見るユーザにとっても、違和感の無い映像を見ることができ、斜めの方向から２つの面を同時に見る場合や、表示装置１００が回転する場合にも対応することができる。
【００３０】
また、図５（ｃ）に示すように、表示装置１００の正面側・背面側・右側面側・左側面側のそれぞれに人体が存在するとともに、一面又は複数面の液晶パネル１１（例えば、右側面パネル１１ｃ）に、テレビジョン番組を映出させる旨の指示がなされている場合、ＣＰＵ８１は、第１〜第４検出センサ２１ａ〜２１ｄからの人体検出信号に基づいて、正面パネル１１ａ・背面パネル１１ｂ・（右側面パネル１１ｃ）・左側面パネル１１ｄのそれぞれを、前方領域に人体が存在する液晶パネル１１として特定する。そして、ＣＰＵ８１は、正面パネル１１ａ・背面パネル１１ｂ・左側面パネル１１ｄに対応する第１プレーヤ３１ａ・第２プレーヤ３１ｂ・第４プレーヤ３１ｄのそれぞれにおいて、マスタクロック３２からの同期信号に基づく再生タイミングで再生された映像データを液晶パネルユニット１に出力させて、正面パネル１１ａ・背面パネル１１ｂ・左側面パネル１１ｄの各表示面に表示させる。第１プレーヤ３１ａのＤＶＤには、水槽を正面側から撮像した映像データが記録されており、第２プレーヤ３１ｂのＤＶＤには、水槽の背面側から撮像した映像データが記録されており、第４プレーヤ３１ｄのＤＶＤには、水槽の左面側から撮像した映像データが記録されている。
したがって、表示装置１００の正面側、背面側、左側面側に存在するユーザは、あたかも実際の水槽をその方面から見ているような映像を見ることができる。一方、右側面パネル１１ｃには、テレビジョン放送番組の映像が表示され、表示装置１００を擬似的なアクアリウムとして用いる場合であっても、テレビジョン放送番組を見ることができる。
【００３１】
以上説明した本実施形態における表示装置１００によれば、４つの液晶パネル１１ａ〜１１ｄを直方体形状に組み立てて水槽の形状を模した液晶パネルユニット１が備わるとともに、第１〜第４プレーヤ３１ａ〜３１ｄにより、実際の水槽の各面を撮影した映像が、液晶パネルユニット１における対応する液晶パネル１１の各表示面に映出され、マスタクロック３２により、第１〜第４プレーヤ３１ａ〜３１ｄの再生タイミングが同期され、第１〜第４検出センサ２１ａ〜２１ｄにより、液晶パネル１１ａ〜１１ｄの前方領域のそれぞれに存在する人体が検出され、特定プログラム８３ａの実行により、第１〜第４検出センサ２１ａ〜２１ｄにより前方領域に人体が検出された液晶パネル１１が特定され、映像再生制御プログラム８３ｂの実行により、第１〜第４プレーヤ３１ａ〜３１ｄのうち、特定プログラム８３ａの実行により特定された液晶パネル１１に映出させるプレーヤ３１のみを動作させる制御が行われる。
したがって、直方体形状の複数面にパネルが配置された表示装置１００において、人体が存在する面の液晶パネル１１にのみ、映像が映出されることとなり、省電力化を図ることができる。
また、各面の液晶パネル１１に、実際の水槽を各面から撮像した映像が映出されるため、メンテナンス不要の擬似的なアクアリウムを実現することができる。
さらに、各面に映出される映像は同期するため、どの面から見るユーザに対しても、違和感の無い映像を表示させることができる。すなわち、ユーザが、斜めの方向から２つの表示面を同時に見る場合や、表示装置１００が回転する場合であっても、実際の水槽を見ているように感じさせることができる。
【００３２】
また、受信プログラム８３ｃの実行により、テレビジョン放送信号が受信され、テレビ映像処理プログラム８３ｄの実行により、受信プログラム８３ｃの実行により受信されたテレビジョン放送信号から映像データが抽出され、当該映像データに基づく映像が、液晶パネル１１のそれぞれに映出される。
したがって、表示装置１００を擬似的なアクアリウムとして用いる場合であっても、テレビジョン放送番組を見ることができ、ユーザの多様なニーズに対応することができる。
【００３３】
なお、本発明は、上記実施の形態に限られることなく、本発明の趣旨を逸脱しない範囲において、種々の改良並びに設計の変更を行っても良い。
例えば、上記実施形態では、表示装置１００本体の正面、背面、左側面、右側面のそれぞれに液晶パネル１１が配置される表示装置１００について説明したが、液晶パネル１１が他の面（例えば、上面や下面）に配置されていても良い。
また、表示パネルは液晶パネル１１に限られず、プラズマパネル、有機ＥＬパネル等であっても良い。
また、表示パネルユニットは、直方体形状に限られず、例えば、円柱形状等であっても良い。
また、所望の面の液晶パネル１１にのみ、映像を表示させることができる構成であっても良い。これにより、例えば、壁付近に表示装置１００を配置した場合に、壁側の液晶パネル１１を予めオフしておけば、電力の無駄な消費を図ることができる。
また、テレビ映像処理再生プログラムは、映像再生制御プログラム８３ｂと同様に、特定プログラム８３ａの実行により特定された液晶パネル１１にのみ、テレビジョン放送信号に基づく映像を映出させても良い。
また、表示装置１００の表示パネルの全てに、テレビジョン放送信号に基づく映像を映出させても良い。
【図面の簡単な説明】
【００３４】
【図１】本実施形態の表示装置の外観を例示する図である。
【図２】本実施形態の表示装置の要部構成を示すブロック図である。
【図３】実際の水槽の外観を例示する図である。
【図４】液晶パネルユニットに備わる各液晶パネルの表示面を例示する図である。
【図５】映像映出処理について説明するための図である。
【符号の説明】
【００３５】
１００  表示装置
１      液晶パネルユニット（表示パネルユニット）
１１    液晶パネル（表示パネル）
１１ａ  正面パネル（表示パネル、液晶パネル）
１１ｂ  背面パネル（表示パネル、液晶パネル）
１１ｃ  右側面パネル（表示パネル、液晶パネル）
１１ｄ  左側面パネル（表示パネル、液晶パネル）
２１    検出センサ
２１ａ  第１検出センサ（検出センサ）
２１ｂ  第２検出センサ（検出センサ）
２１ｃ  第３検出センサ（検出センサ）
２１ｄ  第４検出センサ（検出センサ）
３１    プレーヤ（映像再生手段）
３１ａ  第１プレーヤ（映像再生手段）
３１ｂ  第２プレーヤ（映像再生手段）
３１ｃ  第３プレーヤ（映像再生手段）
３１ｄ  第４プレーヤ（映像再生手段）
３２    マスタクロック（同期手段）
４      信号受信部（受信手段）
５      信号処理部（テレビ映像処理手段）
６      映像処理部（テレビ映像処理手段）
８１    ＣＰＵ（特定手段、同期手段、映像再生手段、制御手段、受信手段、テレビ映像処理手段）
８３ａ  特定プログラム（特定手段）
８３ｂ  映像再生制御プログラム（同期手段、映像再生手段、制御手段）
８３ｃ  受信プログラム（受信手段）
８３ｄ  テレビ映像処理プログラム（テレビ映像処理手段）
【図１】
2008309936.tif 000003
【図２】
2008309936.tif 000004
【図３】
2008309936.tif 000005
【図４】
2008309936.tif 000006
【図５】
2008309936.tif 000007